(57)【要約】【課題】再現性に優れた印刷画像と毛筆による書き易さの両立を図ることのできる新規な掛け軸を提供する。【解決手段】インクジェットプリンタによる印刷適性を有する和紙２に、インクジェットプリンタによりデジタル写真画像３が印刷され、この和紙２の任意の領域が切り抜かれるとともにこの切り抜かれた部分４に毛筆による書が記された和紙又は半紙５が嵌め込まれ、これら和紙又は半紙５と前記和紙２とが一体的に裏打ちされてなるものとした。【選択図】  図１
0003136239.tif 000002
【実用新案登録請求の範囲】
【請求項１】
インクジェットプリンタによる印刷適性を有する和紙に、インクジェットプリンタによりデジタル写真画像が印刷され、この和紙の任意の領域が切り抜かれるとともにこの切り抜かれた部分に毛筆による書が記された和紙又は半紙が嵌め込まれ、これら和紙又は半紙と前記和紙とが一体的に裏打ちされてなる掛け軸。
【請求項２】
インクジェットプリンタによる印刷適性を有する和紙に、インクジェットプリンタによりデジタル写真画像が印刷され、この和紙の任意の領域が切り抜かれるとともにこの切り抜かれた部分に毛筆による書が記載可能な白紙状態の和紙又は半紙が嵌め込まれ、これら和紙又は半紙と前記和紙とが一体的に裏打ちされてなる掛け軸。
【考案の詳細な説明】
【技術分野】
【０００１】
本考案は、掛け軸に関する。
【背景技術】
【０００２】
掛け軸は、日本人が古くから親しんできた美術品の一つであり、通常、和室の床の間に掛けられるものである。掛け軸の作品としては、日本画や山水画など実に様々なものがあるが、いずれも古美術的な趣が強いことから、床の間以外の場所や洋間、あるいは店舗の壁面などに飾るにはどちらかというと不向きなものであった。
【０００３】
そこで、そのような点に鑑み、手軽に使用できるものとして、パーソナルコンピュータで画像処理して得られた画像を手漉き和紙にインクジェットプリンタで印刷して作成した掛け軸が提案されている（例えば、特許文献１参照）。
【特許文献１】特開２００４−１４７７６９号公報
【考案の開示】
【考案が解決しようとする課題】
【０００４】
ところで、インクジェット法による印刷は、経済的で高品質な多色刷りの印刷物を製造することができることから急成長している印刷方法であり、様々な基材上に堆積し得るインクの液滴又は流れを電気的及び機械的に制御して方向付けする非衝撃及び非接触の印刷方法である。現在のインクジェット印刷技術は、圧電素子の振動や熱噴出など各種の方式により、極微量のインク滴を小さなノズルを通して基材の表面上に飛ばすものであり、処理できる基材材料の多様性、及び、達成できる印刷品質及び作動速度の点で極めて用途が広い。
【０００５】
このようなインクジェット印刷技術に用いられるインク製剤のための着色剤としては、染料及び顔料の両方が使用されているが、そのような材料は、インクが塗付される基材に常に十分に付着するとは限らない。例えば、染料は、印刷された基材が水と接触すると溶解して滲んだり不鮮明になったり、あるいは印刷表面から除去されてしまったりすることがある。従って、特に水性ベースのインクが前記基材上に採用される場合は、様々な基材の耐水性能力を向上させる被覆剤が必要となる。
【０００６】
その点和紙も例外ではなく、インクジェット印刷技術における基材として用いられる場合は、インクが滲んだりしないように、その表面（印刷面）が適宜の薬剤等により処理されたものとされるが、上記特許文献１の掛け軸に使用される手漉き和紙にあっては、インクの滲みを積極的に活用し、独自の風合いを醸し出すようにしているため、耐水性能力を向上させるための処理は何ら施されていない。
【０００７】
このため、そのような手漉き和紙に、例えば、デジタルカメラで撮影した比較的緻密な風景画等を印刷すると、インクが滲んで印刷画像が崩れたり隣接するインク同士が混ざり合ったりしてしまうことから、出来上がった印刷画像が鑑賞に耐えないものになる虞が高い。したがって、比較的緻密な風景画等を再現性良く印刷する場合には、印刷面が印刷適正を備えるように処理された和紙を用いることとなる。
【０００８】
ところが、そのような和紙に単に画像をインクジェットプリンタで印刷しただけのものでは、何ら面白みに欠け、斬新さがない。
【０００９】
そこで、本願の考案者は、画像を印刷した後に、主たる被写体が描かれていないスペースに毛筆で短歌や俳句或いは贈答者のメッセージなど、適当な文字を書くことで、今までにない面白くて斬新な掛け軸を作ることができるのではないかと考え、実際に試してみた。
【００１０】
しかしながら、インクジェットプリンタによる印刷適正を有する和紙は、当然のことながらその印刷面が薬品処理されているため、その上に毛筆で字を書こうとすると、筆が引っ掛かってほとんど滑らず、思い通りに筆が運べないという問題があることが判明した。
【００１１】
本考案は、上記の課題を解決すべく創案されたものであり、再現性に優れた印刷画像と毛筆による書き易さの両立を図ることのできる新規な掛け軸を提供することを目的とするものである。
【課題を解決するための手段】
【００１２】
上記課題を解決するため、本考案に係る掛け軸は、インクジェットプリンタによる印刷適性を有する和紙に、インクジェットプリンタによりデジタル写真画像が印刷され、この和紙の任意の領域が切り抜かれるとともにこの切り抜かれた部分に毛筆による書が記された和紙又は半紙が嵌め込まれ、これら和紙又は半紙と前記和紙とが一体的に裏打ちされてなるものである。
【００１３】
インクジェットプリンタにより印刷される和紙は、インクが滲んだり退色したりしないよう、インクジェットプリンタによる印刷適正を有する和紙とされているため、デジタル写真画像が鮮明に印刷されることになる。そして、この和紙の任意の領域、通常は写真画像の主たる被写体が描かれていない領域に、毛筆による書が記された和紙又は半紙が嵌め込まれ、これら和紙又は半紙と、写真画像が印刷された和紙とが一体的に裏打ちされていることにより、両者が一体のものになり、看者は、書が記された和紙又は半紙が、写真画像が印刷された和紙と別体であることに気付かない。そのうえ、書として、印刷された写真画像に関連する文言が記載されている場合、よりその一体感が強くなる。また、書が記された和紙又は半紙は、元々毛筆に適したものであるから、筆の滑りよろしく書が記されることとなる。
【００１４】
また、本考案に係る掛け軸は、次のような構成のものであってもよい。すなわち、インクジェットプリンタによる印刷適性を有する和紙に、インクジェットプリンタによりデジタル写真画像が印刷され、この和紙の任意の領域が切り抜かれるとともにこの切り抜かれた部分に毛筆による書が記載可能な白紙状態の和紙又は半紙が嵌め込まれ、これら和紙又は半紙と前記和紙とが一体的に裏打ちされてなるものであってもよい。
【００１５】
この場合、毛筆による書が記載可能な白紙状態の和紙又は半紙が備えられているため、印刷されている写真画像に合わせた文言を、その和紙又は半紙に毛筆で記すことができる。したがって、この形態の場合には、メッセージカード或いはメッセージカードを添えた花を贈る場合と同様の感覚で本掛け軸を使用することができる。また、メッセージを毛筆で記す場合、和紙又は半紙は、元々毛筆に適したものであるから、筆が引っ掛かることなく滑らかに好みの文字を記することができる。
【考案の効果】
【００１６】
本考案によれば、今までにない面白くて斬新な掛け軸を提供することができ、飾る場所もこれまでの和室の床の間に限らず、洋間でも或いは店舗内の壁面でも自由に選択することができ、また贈答品として使用する場合には、贈る人の気持ちを伝えることもでき、掛け軸の使用範囲を格段に広げることができる。
【考案を実施するための最良の形態】
【００１７】
以下、本考案の実施の形態について、図面を参照して説明する。
【００１８】
図１は、本実施の形態に係る掛け軸を示す正面ず、図２は、図１におけるII−II線断面図である。
【００１９】
この掛け軸１は、インクジェットプリンタによる印刷適性を有する和紙２に、インクジェットプリンタによりデジタル写真画像３が印刷され、この和紙２の任意の領域が切り抜かれるとともにこの切り抜かれた部分４に毛筆による書が記された和紙又は半紙５が嵌め込まれ、これら和紙又は半紙５と前記和紙２とが一体的に裏打ちされてなるものである。尚、図中の符号６は軸棒、７は掛緒を示す。
【００２０】
和紙２は、インクジェットプリンタのインクが滲まず、また印刷後は容易に退色しないような表面処理が施されたものである。なお、このような和紙は既にインクジェットプリンタ用和紙として市販されており、それを用いれば足りるため、ここではその構成について詳述しない。
【００２１】
この和紙２を切り抜く部分４は、実際に印刷された写真画像３の内容を見て適宜決定される。例えば、図示例のような奈良の東大寺の遠景が印刷されている場合、東大寺の部分３１からやや離れた背景部分３２が選択される。要するに、写真画像の中の主たる被写体（図示例では東大寺３１）が描かれていない領域であれば切り抜き部分４の位置は任意である。
【００２２】
上記切り抜き部分４に嵌め込まれる和紙又は半紙５は、広く市販されている普通の和紙又は半紙でよく、毛筆に適したものである。この和紙又は半紙５の大きさ（切り抜き部分４の広さ）は任意であり、記する字数に応じて、また、印刷される写真画像とのバランスを見て決定すればよい。
【００２３】
このようになる和紙又は半紙５と、写真画像３が印刷された和紙２とは一体的に裏打ちされ、図２に示すように、双方の表面が面一とされる。これにより、看者は、書が記された和紙又は半紙５が、写真画像が印刷された和紙２と別体であることに気付かない。裏打ちの方法は、掛け軸の作成において従前から行われている周知の方法でよい。尚、図中の符号８は、総裏を示す。
【００２４】
上記の例では、既に書が記された和紙又は半紙５が和紙２の切り抜かれた部分４に嵌め込まれた掛け軸について説明したが、和紙又は半紙５は白紙状態のものであってもよい。この場合、印刷されている写真画像３に合わせた文言を、その和紙又は半紙５に毛筆で記すことができる。したがって、この形態の場合には、メッセージカード或いはメッセージカードを添えた花を贈る場合と同様の感覚で本掛け軸１を使用することができる。また、メッセージを毛筆で記す場合、和紙又は半紙５は、元々毛筆に適したものであるから、筆が引っ掛かることなく滑らかに好みの文字を記することができる。
【００２５】
尚、図示例では切り抜き部分４の形状を長方形としているが、これに限らず、正方形や三角形、又は五角形以上の多角形、或いはハート型や星型等、任意の形状とすることができる。
【図面の簡単な説明】
【００２６】
【図１】本考案に係る掛け軸の一実施形態を示す正面図である。
【図２】図１におけるII−II線断面図である。
【符号の説明】
【００２７】
１    掛け軸
２    和紙
３    写真画像
４    切り抜かれた部分（切り抜き部分）
５    和紙又は半紙                                                                                
【図１】
0003136239.tif 000003
【図２】
0003136239.tif 000004